(57)【要約】      （修正有）【課題】内容物の詰め替え時に、容器を支えて倒れ難くする容器支持具を提供する。【解決手段】容器５０の下部に取り付けられて容器を支える容器支持具１であって、可撓性を有し上部が開口するカップ状の本体１０と、本体に着脱自在に取り付けられる弾性バンド４０と、を有し、容器の下部が前記開口から本体の内部に挿入された後に弾性バンドによって本体を撓ませることにより容器が固定される。これにより、容器支持具に容器を容易に固定して支えることができ、容器に内容物を注ぐ際に、容器を倒れ難くすることができる。【選択図】図１
0003204990.tif 000002
【実用新案登録請求の範囲】
【請求項１】
容器の下部に取り付けられて前記容器を支える容器支持具であって、
可撓性を有し上部が開口するカップ状の本体と、
前記本体に着脱自在に取り付けられる弾性バンドと、を有し、
前記容器の下部が前記開口から前記本体の内部に挿入された後に前記弾性バンドによって前記本体を撓ませることにより前記容器が固定されることを特徴とする容器支持具。
【請求項２】
前記開口は、平面視において一方向の長さが前記一方向に垂直な他方向の長さよりも長く形成されることを特徴とする請求項１に記載の容器支持具。
【請求項３】
前記本体は、前記開口の縁部近傍から水平方向外側に向かって延設される鍔部を有することを特徴とする請求項１または請求項２に記載の容器支持具。
【請求項４】
前記本体の側面には、前記本体の内部から外部に貫通する貫通孔が形成されることを特徴とする請求項１ないし請求項３のいずれか１項に記載の容器支持具。
【考案の詳細な説明】
【技術分野】
【０００１】
本考案は、詰め替え用パックから再利用可能な容器に内容物を詰め替える際に、容器を支える容器支持具に関する。
【背景技術】
【０００２】
シャンプーやコンディショナ、食器用洗剤、洗濯用洗剤等が充填される容器として、再利用可能なものがある。これら容器を再利用する際には、詰め替え用パックに充填されている洗剤等の内容物を空になった容器に移し替える。このような詰め替え作業を補助するものとして、特許文献１には、詰め替え用パックの姿勢を安定させて内容物がこぼれることを防止する漏斗が開示されている。
【０００３】
具体的には、特許文献１に開示された漏斗では、上方開口状の本体部が水平断面略楕円形状に形成されている。そして、本体部には、略楕円形の長軸に沿って、詰め替え用パックの糊代部を逃がすための対向する２本の凹溝が形成される。これにより、詰め替え用パックの姿勢が安定して容易に内容物を容器に充填することができる。
【先行技術文献】
【特許文献】
【０００４】
【特許文献１】特開２０１３−２１６３７２号公報
【考案の概要】
【考案が解決しようとする課題】
【０００５】
しかしながら、上記した従来技術では、容器の安定性について全く考慮されておらず、詰め替え時に容器が倒れ易いという問題点があった。具体的には、空の容器の上部に漏斗及び詰め替え用パックを取り付けることにより、容器は、下部よりも上部の方が重くなり、不安定な状態になる。この状態で詰め替え作業を行うと、容器が倒れ易く、容器が倒れると内容物がこぼれてしまう。
【０００６】
本考案は、上記の事情に鑑みてなされたものであり、その目的とするところは、内容物の詰め替え時に、容器を支えて倒れ難くする容器支持具を提供することにある。
【課題を解決するための手段】
【０００７】
本考案の容器支持具は、容器の下部に取り付けられて前記容器を支える容器支持具であって、可撓性を有し上部が開口するカップ状の本体と、前記本体に着脱自在に取り付けられる弾性バンドと、を有し、前記容器の下部が前記開口から前記本体の内部に挿入された後に前記弾性バンドによって前記本体を撓ませることにより前記容器が固定されることを特徴とする。
【考案の効果】
【０００８】
本考案の容器支持具によれば、可撓性を有し上部が開口するカップ状の本体と、前記本体に着脱自在に取り付けられる弾性バンドと、を有し、前記容器の下部が前記開口から前記本体の内部に挿入された後に前記弾性バンドによって前記本体を撓ませることにより前記容器が固定される。具体的には、本体が撓むことにより本体の開口が狭まり、本体に挟まれて容器が固定される。これにより、詰め替え用パックから内容物を容器に詰め替える際に、容器を支えて倒れ難くすることができる。
【０００９】
また、容器を固定する際には、可撓性を有する容器を好適に撓ませて、その撓んでいる状態の容器に弾性バンドを取り付けることができる。よって、弾性バンドの取り付けが容易であり、簡単な作業で容器を固定することができる。
【００１０】
また、使用後、本体から弾性バンドを取り外すことにより、本体は元の形状に戻る。即ち、本体の開口が、狭い状態から広い状態になる。これにより、固定されていた容器を容易に取り外すことができる。
【００１１】
また、本考案の容器支持具によれば、前記開口は、平面視において一方向の長さが前記一方向に垂直な他方向の長さよりも長く形成されても良い。即ち、開口は、平面視で一方向に長く、例えば、略長円形状等に形成されても良い。このような構成により、容器を固定する際に、容器を本体の長手方向の片側に寄せて挿入し、弾性バンドを本体の中央側の容器近傍に取り付けることにより、容器をしっかりと固定することができる。
【００１２】
また、上記のように平面視で一方向に長い開口を形成し、容器を長手方向の一端側に寄せて固定することにより、大きさや形状の異なる容器であっても、好適に支持することができる。また、弾性バンドの取り付け位置を容易に変えることができ、適度な締め付け力で容器を支持することができる。
【００１３】
また、本考案の容器支持具によれば、前記本体は、前記開口の縁部近傍から水平方向外側に向かって延設される鍔部を有しても良い。これにより、本体の縁部近傍の強度を高めることができ、容器を好適に支持することができる。
【００１４】
また、本考案の容器支持具によれば、前記本体の側面には、前記本体の内部から外部に貫通する貫通孔が形成されても良い。これにより、本体の内部に入った水等を貫通孔から外部に排出することができ、本体の内部に水等が留まることを防止できる。また、形成される貫通孔に紐等を通して取り付けることにより、不使用時等には、該紐等を壁等に固定されるフック等に引っ掛けて、容器支持具を壁等に掛けておくことができる。
【図面の簡単な説明】
【００１５】
【図１】本考案の実施形態に係る容器支持具の斜視図である。
【図２】本考案の実施形態に係る容器支持具の（Ａ）平面図、（Ｂ）Ａ−Ａ線断面図、である。
【図３】本考案の実施形態に係る容器支持具の（Ａ）Ｂ矢視図、（Ｂ）Ｃ矢視図、である。
【図４】本考案の実施形態に係る容器支持具の使用例を示す（Ａ）平面図、（Ｂ）弾性バンド近傍の横断面図、である。
【図５】本考案の実施形態に係る容器支持具の他の使用例を示す（Ａ）平面図、（Ｂ）弾性バンド近傍の横断面図、である。
【図６】本考案の他の実施形態に係る容器支持具の（Ａ）平面図、（Ｂ）Ｅ−Ｅ線断面図、である。
【考案を実施するための形態】
【００１６】
以下、本考案の実施形態に係る容器支持具を図面に基づき詳細に説明する。
図１は、本考案の実施形態に係る容器支持具１の斜視図である。容器支持具１は、詰め替え作業時に、容器５０を支えて倒れ難くするものである。
【００１７】
図１に示すように、容器支持具１は、容器５０の下部に取り付けられる。容器５０は、例えば、プラスチック等により形成されるボトル状の容器であり、容器５０の内部には、例えば、シャンプーやコンディショナ、食器用洗剤、洗濯用洗剤等の液体状の内容物が充填される。
【００１８】
容器支持具１は、上部が開口する略カップ状の本体１０と、本体１０に着脱自在に取り付けられる弾性バンド４０と、を有する。本体１０は、例えば、エチレン酢酸ビニル共重合樹脂等の、軟質の合成樹脂等により形成され、可撓性を有する。これにより、本体１０を撓ませ、本体１０の開口を変形させることができる。また、本体１０を撓ませて縮小させることにより、弾性バンド４０を容易に取り付けることができる。
【００１９】
弾性バンド４０は、例えば、伸縮性を有するゴム等によって、略リング状に形成される。容器５０の下部を本体１０の内部に挿入した後、弾性バンド４０を本体に取り付けることにより、容器５０は、本体１０と弾性バンド４０とに挟まれて固定される。これにより、容器５０を固定し支持することができ、詰め替え作業時に容器５０を倒れ難くすることができる。なお、容器５０の固定方法について、詳しくは後述する。
【００２０】
また、弾性バンド４０は、本体１０から分離可能な別部品として構成される。これにより、例えば、弾性バンド４０が破損し、容器５０の固定ができなくなった場合、弾性バンド４０のみを交換することにより、容器支持具１を再び使用することができる。
【００２１】
図２（Ａ）は、弾性バンド４０（図１参照）を取り外した状態の、容器支持具１の平面図であり、図２（Ｂ）は、同容器支持具１の図２（Ａ）に示すＡ−Ａ線断面図である。図２（Ａ）に示すように、本体１０の開口は、平面視において、一方向（図２（Ａ）において左右方向）の長さが、前記一方向に垂直な他方向（図２（Ａ）において上下方向）の長さよりも長く形成される。即ち、本体１０は、一方向に長く形成される（以下、適宜、前記一方向を長手方向、前記他方向を短手方向と言う。）。
【００２２】
つまり、本体１０の開口の長手方向の長さＤ３は、本体１０の開口の短手方向の長さである幅Ｄ１及び幅Ｄ２よりも長く形成される。このように、本体１０を一方向に長い略長円形状に形成することにより、弾性バンド４０を、本体１０の短手方向に掛けるように本体１０の長手方向の一端側から嵌めることにより、容易に取り付けることができる。
【００２３】
また、弾性バンド４０は、本体１０の長手方向に移動自在である。即ち、弾性バンド４０の取り付け位置を変えて、本体１０の長手方向の端部と弾性バンド４０との距離を容易に調整することができる。これにより、大きさや形状の異なる容器５０（図１参照）を好適に固定することができる。
【００２４】
また、本体１０の開口は、長手方向の位置によって異なる幅に形成されても良い。具体的には、長手方向の一方の端部側（図２（Ａ）において右側）の幅Ｄ１は、他方の端部側（図２（Ａ）において左側）の幅Ｄ２よりも小さく形成される。即ち、本体１０は、その幅が図２（Ａ）において左側から右側に向かって、次第に狭くなるように形成される。これにより、容器支持具１に対する容器５０の挿入位置を調整することにより、容器支持具１は、大きさの異なる容器５０を好適に支持することができる。
【００２５】
なお、本体１０の幅Ｄ１は、６ｃｍから１２ｃｍであり、より好ましくは、８ｃｍから１０ｃｍである。また、本体１０の幅Ｄ２は、８ｃｍから１４ｃｍであり、より好ましくは、１０ｃｍから１２ｃｍである。また、本体１０の長さＤ３は、１３ｃｍから２２ｃｍであり、より好ましくは、１５ｃｍから２０ｃｍである。本体１０の開口をこのような大きさに形成することにより、一般的に使用されているボトル等の容器５０を好適に支持することができる。
【００２６】
なお、本体１０の開口の形状は、上記の例に限定されず、容器５０を挿入可能な形状であれば良い。例えば、本体１０の開口の形状としては、略矩形状や略楕円状、略瓢箪状等であっても良い。
【００２７】
また、本体１０の側面は、略曲面状に形成される方が望ましく、本体１０が平面視で略矩形状や略多角形状等に形成される場合には、側面の角部には、適度な丸み付けが施されることが望ましい。これにより、本体１０の内部に布等を挿入し易くなり、本体１０の内部の清浄が容易になる。
【００２８】
図２（Ａ）及び（Ｂ）に示すように、本体１０の開口の縁部近傍には、本体１０の外側に向かって、略水平に延在する鍔部１１が形成される。これにより、弾性バンド４０によって変形される本体１０の開口の縁部近傍の強度を高めることができる。なお、鍔部１１の幅Ｌ１は、１ｃｍから３ｃｍであり、より好ましくは、１．５ｃｍから２ｃｍである。
【００２９】
図２（Ｂ）に示すように、本体１０の深さＨ１は、８ｃｍから１４ｃｍであり、より好ましくは１０ｃｍから１２ｃｍである。このように本体１０の深さが好適に設定されることにより、容器５０を固定した際の安定性を高めることができる。なお、本体１０の内部の底面周囲の隅部には、適度な丸み付けが施されることが望ましい。これにより、本体１０の内部を容易に清浄等することができる。
【００３０】
本体１０の下方には、底部材１２が取り付けられる。底部材１２は、例えば、低発泡のエチレン酢酸ビニル共重合樹脂等の合成樹脂等によって略平板状に形成される。底部材１２を容器支持具１の下方に設けることにより、本体１０の底部が変形し難くなり、本体１０に弾性バンド４０が装着された場合であっても容器支持具１の底面を略平坦に維持することができる。これにより、容器５０を安定して支持することができる。
【００３１】
また、底部材１２は、本体１０と略同じ大きさ若しくは本体１０よりも大きく形成される（図1及び図３等も参照）。これにより、容器支持具１の下面が大きく形成され、容器支持具１を載置した際の安定性を高めることができる。
【００３２】
また、本体１０の下方に底部材１２が設けられることにより、容器支持具１が滑り難くなるという効果もある。これにより、例えば、浴室の洗い場や台所の流し台等の滑り易い場所であっても、内容物の詰め替え作業を安定した状態で行うことができる。
【００３３】
また、底部材１２は、本体１０の長手方向において、異なる厚さに形成されても良い。具体的には、底部材１２は、長手方向の一方側（図２（Ｂ）において右側）の端部近傍の厚さＨ２が、他方側（図２（Ｂ）において左側）の端部近傍の厚さＨ３よりも薄く形成される。
【００３４】
このような構成により、底部材１２の上方に設けられる本体１０の内部の底面は、図２（Ｂ）において右側から左側に向かって下方に傾斜することになる。これにより、例えば、浴室の洗い場等の床面や台所の流し台等の底面等、傾斜している面に容器支持具１を置いた際に、本体１０の内部の底面を略水平にすることができる。これにより、本体１０の内部に置かれる容器５０の安定性を高めることができる。
【００３５】
ここで、底部材１２の厚さＨ２は、３ｍｍから１０ｍｍであり、より好ましくは、５ｍｍから８ｍｍである。また、底部材１２の厚さＨ３は、１ｍｍから８ｍｍであり、より好ましくは３ｍｍから６ｍｍである。これにより、弾性バンド４０の締め付け力に対する十分な剛性を確保しつつ、好適な傾斜面を形成することができる。
【００３６】
なお、底部材１２の形状は、上記の例に限定されず、例えば、底部材１２の傾斜方向は、上記の例に対して反対向きであっても良い。
また、例えば、底部材１２の下面は、溝や突起等が形成されて凹凸状であっても良い。底部材１２の下面が凹凸状に形成されることにより、底部材１２の滑り止め機能が高められる。
【００３７】
また、例えば、底部材１２の厚さを一定にし、その代わりに本体１０の底部の厚さを変えることにより、本体１０の底面を傾斜させても良い。
また、例えば、本体１０の内部の底面に水平な部分が形成されても良い。これにより、傾斜している床面等だけでなく、水平な床面等に容器支持具１が載置された際に、本体１０の内部の底面を水平な状態にすることができ、容器５０を安定して立たせることができる。
【００３８】
なお、底部材１２は、本体１０とは別部品として成形されて、本体１０の下方に接着等される構成でも良い。また、例えば、別部品としての底部材１２を設けずに、本体１０の底面を側面等よりも厚く形成して底部材１２の代わりとしても良い。即ち、本体１０及び底部材１２に相当する部分を含めて全体が一体的に成形されても良い。
【００３９】
図３（Ａ）は、弾性バンド４０（図１参照）を取り外した状態の容器支持具１の図２（Ｂ）に示すＢ矢視図であり、図３（Ｂ）は、同容器支持具１の図２（Ｂ）に示すＣ矢視図である。
【００４０】
図３（Ａ）に示すように、本体１０の長手方向の一方の端部側の側面の下部には、本体１０の内部から外部に貫通する貫通孔である排水孔１３が形成される。本体１０の下部に排水孔１３が形成されることにより、本体１０の内部に水等が留まることを防止できる。また、排水孔１３は、本体１０の短手方向に長く形成される。これにより、本体１０の排水能力を高めることができる。
【００４１】
図３（Ｂ）に示すように、本体１０の長手方向の他方の端部側の側面には、本体１０の内部から外部に貫通する貫通孔である吊下孔１４及び一対の吊下孔１５が形成される。吊下孔１４は、本体１０の側面の上部で、鍔部１１よりも下方に形成される。
【００４２】
吊下孔１４には、例えば、紐４１が挿通され、本体１０に紐４１が取り付けられる。取り付けられた紐４１を、壁等に取り付けられる図示しないフック等に引っ掛けることにより、不使用時には、容器支持具１を壁等に吊り下げておくことができる。これにより、不使用時に容器支持具１が邪魔にならず、浴室や台所等の限られたスペースを有効的に利用することができる。
【００４３】
吊下孔１５は、本体１０の側面の下部に、即ち吊下孔１４よりも下方に、２つ形成される。吊下孔１５が２つ形成されることにより、夫々の吊下孔１５に紐４２を通して、紐４２を本体１０の下部に固定することができる。これにより、紐４２を図示しないフック等に引っ掛けて、容器支持具１を吊り下げることができる。
【００４４】
なお、例えば、吊下孔１４若しくは吊下孔１５にリング等が取り付けられても良い。
また、例えば、吊下孔１４若しくは吊下孔１５を直接図示しないフック等に引っ掛けて、容器支持具１を吊り下げても良い。
【００４５】
また、吊下孔１５は、本体１０の側面の下部に形成されるため、本体１０の内部に水等が入った際に、吊下孔１５から水等が排出され易い。即ち、吊下孔１５は、排水用の孔としての機能を有する。
【００４６】
図２（Ｂ）及び図３に示すように、吊下孔１４及び吊下孔１５は、本体１０の排水孔１３が形成される側面に対して反対側の側面に形成されている。そのため、吊下孔１４に取り付けられる紐４１若しくは吊下孔１５に取り付けられる紐４２によって本体１０を吊り下げることにより、本体１０の排水孔１３側が下になる。そのため、容器支持具１を吊り下げた際に、本体１０の内側についた水滴等が排水孔１３から排出され易く、容器支持具１を乾燥させ易い。
【００４７】
次に、図４及び図５を参照して、容器支持具１の使用方法について詳細に説明する。
図４（Ａ）は、容器５１を固定した状態の容器支持具１の平面図であり、図４（Ｂ）は、同状態を示す弾性バンド４０近傍の容器支持具１の横断面図である。図４（Ａ）に示すように、この例では、容器５１は、平面視において、略矩形状に形成されている。
【００４８】
先ず、容器５１の下部は、容器支持具１の本体１０の内部に挿入される。この時、容器５１は、容器５１の大きさに応じて、本体１０の内部の、長手方向のいずれか一方の端部に寄せて入れられる。図４（Ａ）に示す例では、容器５１は、本体１０の開口が広く形成される側、即ち図４（Ａ）において左側に寄せて挿入されている。
【００４９】
容器５１が挿入された後、容器５１に対して反対側となる本体１０の長手方向の端部から弾性バンド４０が嵌められ、本体１０の短手方向に弾性バンド４０が掛けられる。本体１０に取り付けられる弾性バンド４０は、本体１０の中央側、即ち図４（Ａ）において容器５１の右側、に取り付けられる。
【００５０】
これにより、本体１０の弾性バンド４０が取り付けられた部分が内側に向かって撓み、本体１０の開口が狭くなる。そして、容器５１は、本体１０の縁部近傍によって短手方向に挟まれると共に、本体１０と弾性バンド４０とによって長手方向に挟まれる。このようにして、容器５１の下部に容器支持具１が取り付けられる。
【００５１】
図４（Ｂ）に示すように、弾性バンド４０は、本体１０に取り付けられると共に、底部材１２にも掛けられる。底部材１２は、弾性バンド４０を取り付けた際に、変形が少なく略平板状に維持される。これにより、底部材１２の下面が略平らな状態に維持され、容器５１に固定された容器支持具１を安定して載置することができる。
【００５２】
そして、容器支持具１が取り付けられた容器５１を、詰め替え作業を行う場所の床面等に載置し、詰め替え用パックＰの内容物を容器５１に移し替える。その際、容器５１は、容器支持具１によって支えられているので倒れ難い。また、容器５１を手で支える必要がないため、詰め替え用パックＰを両手で持って詰め替え作業を行うことができる。これにより、内容物を漏らさずに容易に移し替えることができる。
【００５３】
図５（Ａ）は、容器５２を固定した状態の容器支持具１の平面図であり、図５（Ｂ）は、同状態を示す弾性バンド４０近傍の容器支持具１の横断面図である。図５（Ａ）及び（Ｂ）に示す例では、容器５２は、図４に示す容器５１よりも小さく略円筒状である。
【００５４】
図５（Ａ）に示すように、容器５２は、容器支持具１の本体１０の内部に挿入され、本体１０の内部の、長手方向の一方の端部に寄せられる。容器５２は、本体１０の幅が小さく形成される側、即ち図５（Ａ）において右側、に寄せて挿入されている。
【００５５】
本体１０に取り付けられる弾性バンド４０は、本体１０の中央側、即ち図５（Ａ）において容器５２の左側に取り付けられる。これにより、本体１０の弾性バンド４０が取り付けられた部分が内側に向かって撓み、本体１０の開口が狭くなる。その結果、容器５２は、本体１０と弾性バンド４０とによって挟まれて支持される。このように、容器５２は、容器支持具１によって支えられ、容器５２に詰め替え用パックＰの内容物を詰め替える際に、倒れ難くなる。
【００５６】
また、図４に示す容器５１を固定する場合と比べて、図５に示す外径の小さい容器５２を固定する場合には、本体１０の開口の縁部近傍は、より内側に変形する。このように、挿入される容器５１、５２の大きさに応じて本体１０の撓みが変化することにより、大きさや形状の異なる容器５１、５２を好適に固定し支持することができる。
【００５７】
また、弾性バンド４０を取り外すことにより、本体１０は、元の形状に戻る。即ち、本体１０の開口は、狭められた状態から元の広い状態になる。これにより、詰め替えが終了した後には、容器支持部１に固定された容器５１、５２を容易に取り外すことができる。
【００５８】
なお、弾性バンド４０の数は１つに限定されるものではなく、複数の弾性バンド４０によって容器５１、５２を固定しても良い。例えば、複数の弾性バンド４０を重ね合わせて取り付けても良い。これにより、本体１０に加わる力を調節することができ、容器５１、５２の大きさ等に応じて本体１０の撓みを調節することができる。また、例えば、２つ以上の弾性バンド４０によって、容器５１、５２を長手方向の両側から挟み込むようにして固定しても良い。
【００５９】
図６（Ａ）は、本考案の他の実施形態に係る容器支持具１０１の平面図であり、図６（Ｂ）は、同容器支持具１０１の図６（Ａ）に示すＥ−Ｅ線断面図である。なお、既に説明した実施形態と同一若しくは同様の作用、効果を奏する構成要素については、同一の符号を付し、その説明を省略する。
【００６０】
図６（Ａ）に示すように、鍔部１１１は、幅を変えて、即ち本体１１０の開口の縁部近傍から外側に延設される長さを変えて、形成されても良い。即ち、鍔部１１１は、本体１１０の外側に向かって、略凹凸状に形成される。鍔部１１１が略凹凸状に形成されることにより、本体１１０に取り付けられる弾性バンド４０は、鍔部１１１の幅が狭い部分、即ち鍔部１１１の凹んでいる部分、で固定される。これにより、本体１０に取り付けられた弾性バンド４０が長手方向にずれることを防止できる。
【００６１】
図６（Ｂ）に示すように、本体１１０は、長手方向の位置によって高さが異なるよう形成されても良い。具体的には、本体１１０は、図６（Ｂ）において右側の高さが、左側の高さよりも低く形成される。そのため、本体１１０の深さが深い部分と浅い部分とを形成することができ、容器支持具１０１は、高さの異なる容器５０（図１参照）を好適に支えることができる。
【００６２】
なお、本体１１０の図６（Ｂ）において右側の端部近傍の深さＨ４は、６ｃｍから１２ｃｍであり、好ましくは８ｃｍから１０ｃｍである。また、本体１１０の図６（Ｂ）において左側の端部近傍の深さＨ５は、８ｃｍから１４ｃｍであり、より好ましくは１０ｃｍから１２ｃｍである。即ち、本体１１０は、幅が広い部分が深く、幅が狭い部分が浅く形成されることが望ましい。
【００６３】
なお、本考案は、上記実施形態に限定されるものではなく、その他、本考案の要旨を逸脱しない範囲で、種々の変更実施が可能である。
【符号の説明】
【００６４】
１、１０１      容器支持具
１０、１１０    本体
１１、１１１    鍔部
１２    底部材
１３    排水孔
１４、１５      吊下孔
４０    弾性バンド
５０、５１、５２        容器
【図１】
0003204990.tif 000003
【図２】
0003204990.tif 000004
【図３】
0003204990.tif 000005
【図４】
0003204990.tif 000006
【図５】
0003204990.tif 000007
【図６】
0003204990.tif 000008